(57)【特許請求の範囲】
【請求項１】
上下方向と、前後方向と、前記上下方向及び前記前後方向に交差する幅方向とを有し、
前方から着用者の腹側を覆う腹側外装部材と、
後方から前記着用者の背側を覆う背側外装部材と、
吸収体を有し、一側が前記腹側外装部材に接合され、他側が前記背側外装部材に接合され、排泄物を吸収する帯状の吸収パッドを支持する吸収性本体と、
を備えた吸収性物品であって、
前記背側外装部材は、前記吸収性本体の前方に位置する肌側部材、及び前記吸収性本体の後方に位置する非肌側部材を有し、
前記肌側部材と前記吸収性本体との間には、前記吸収パッドの長手方向の一端部が配置可能であり、
前記非肌側部材には、
前記吸収性本体と前記肌側部材との間に前記吸収パッドが配置される際に、前記吸収性本体、前記肌側部材、及び前記吸収パッドの前記一端部と前記前後方向に重なる位置に、少なくとも一つの第１弾性部材が前記幅方向に亘って伸張された状態で接合され、かつ、
前記吸収性本体と前記肌側部材との間に前記吸収パッドが配置される際に、前記第１弾性部材よりも下方であって、前記吸収性本体及び前記吸収パッドと前記前後方向に重なり、前記肌側部材と前記前後方向に重ならない位置に、少なくとも一つの第２弾性部材が前記幅方向に亘って伸張された状態で接合されており、
前記第１弾性部材の前記幅方向のそれぞれの張力は、前記第２弾性部材の前記幅方向のそれぞれの張力よりも大きく、
前記吸収性本体と前記前後方向に重なる重なり領域のうち、前記第１弾性部材が配設されている領域を上方重なり領域、前記第２弾性部材が配設されている領域を下方重なり領域としたとき、
前記上方重なり領域では、前記非肌側部材の前記幅方向の収縮量が前記下方重なり領域よりも大きい
ことを特徴とする吸収性物品。
【請求項２】
請求項１に記載の吸収性物品であって、
前記第１弾性部材の前記幅方向の両側にはそれぞれ、少なくとも一つの第３弾性部材が前記幅方向に伸張された状態で上方側から前記第１弾性部材に向かって傾斜して設けられており、
前記第２弾性部材の前記幅方向の両側にはそれぞれ、少なくとも一つの第４弾性部材が前記幅方向に伸張された状態で上方側から前記第２弾性部材に向かって傾斜して設けられており、
前記第４弾性部材の前記幅方向のそれぞれの張力は、前記第３弾性部材の前記幅方向のそれぞれの張力よりも大きく、
前記重なり領域の前記幅方向の両側に位置する両側領域のうち、前記第３弾性部材が配設されている領域を上方両側領域、前記第４弾性部材が配設されている領域を下方両側領域としたとき、
前記上方両側領域よりも前記下方両側領域において、前記非肌側部材の前記幅方向の収縮量が大きい
ことを特徴とする吸収性物品。
【請求項３】
請求項２に記載の吸収性物品であって、
前記第３弾性部材は、前記第１弾性部材の前記幅方向の両端からそれぞれ延伸しており、
前記第４弾性部材は、前記第２弾性部材の前記幅方向の両端からそれぞれ延伸していることを特徴とする吸収性物品。
【請求項４】
請求項２又は３に記載の吸収性物品であって、
前記第２弾性部材及び前記第４弾性部材は、前記非肌側部材の下端から上方向１０ｍｍ以下の領域内に設けられている
ことを特徴とする吸収性物品。
【請求項５】
請求項２〜４のいずれか１項に記載の吸収性物品であって、
前記第４弾性部材のそれぞれの前記張力は、前記第２弾性部材のそれぞれの前記張力よりも大きい
ことを特徴とする吸収性物品。
【請求項６】
請求項２〜５のいずれか１項に記載の吸収性物品であって、
前記第４弾性部材のそれぞれの前記張力は、前記幅方向の外側から内側に向かうにつれて小さくなっている
ことを特徴とする吸収性物品。
【請求項７】
請求項２〜６のいずれか１項に記載の吸収性物品であって、
前記第４弾性部材において、最も上の位置と最も下の位置との間の前記上下方向の距離は、５〜９０ｍｍである
ことを特徴とする吸収性物品。
【請求項８】
請求項２〜７のいずれか１項に記載の吸収性物品であって、
前記両側領域の下端が前記腹側外装部材の下端よりも下方に突出している
ことを特徴とする吸収性物品。
【請求項９】
請求項１〜８のいずれかに記載の吸収性物品であって、
前記非肌側部材と前記吸収性本体との接合部は、前記吸収性本体の長手方向に直交する方向に亘っている
ことを特徴とする吸収性物品。
【請求項１０】
請求項１〜９のいずれかに記載の吸収性物品であって、
前記第２弾性部材のそれぞれの前記張力は、前記幅方向の中央から外側に向かうにつれて大きくなっている
ことを特徴とする吸収性物品。
【請求項１１】
請求項１〜１０のいずれかに記載の吸収性物品であって、
前記吸収体は、厚さが５ｍｍ以下であって、ＪＩＳ  Ｌ  １０９６  カンチレバーＡ法にて測定される剛軟度が１５ｍｍ以上１４０ｍｍ以下である
ことを特徴とする吸収性物品。
【請求項１２】
請求項１〜１１のいずれかに記載の吸収性物品であって、
前記肌側部材には、前記吸収性本体と前記肌側部材との間に前記吸収パッドが配置される際に、前記吸収性本体、前記非肌側部材、及び前記吸収パッドの前記一端部と前記前後方向に重なる位置に、少なくとも一つの背側弾性部材が前記幅方向に亘って伸張された状態で接合されており、
前記背側弾性部材の前記幅方向のそれぞれの張力は、前記第１弾性部材の前記幅方向のそれぞれの張力及び前記第２弾性部材の前記幅方向のそれぞれの張力よりも大きい
ことを特徴とする吸収性物品。
【発明の詳細な説明】
【技術分野】
【０００１】
本発明は、吸収性物品に関する。
【背景技術】
【０００２】
従来、吸収性物品として使い捨ておむつが知られている。例えば、特許文献１には、前ウエスト域に位置する前ウエストパネルと、後ウエスト域に位置する後ウエストパネルと、前ウエストパネル及び後ウエストパネルの非肌対向面に取り付けられたクロッチパネルと、着用時に着用者の臀部と対向して当該臀部を被覆する臀部パネルとを備えたものが開示されている。
【０００３】
クロッチパネルには、液体を吸収するための吸収体（吸液構造体）が設けられており、当該吸収体の中央部と臀部パネルの中央部とが重なって配置されている。また、臀部パネルには、横方向へ伸縮可能な複数条の弾性体が配設されている。複数条の弾性体は、臀部パネルの中央部に非弾性域が形成されるように切断されており、非弾性域の横方向両側には、少なくとも横方向へ収縮可能な第１弾性域及び第２弾性域が形成されている。
【先行技術文献】
【特許文献】
【０００４】
【特許文献１】特開２０１３−９４４２２号公報
【発明の概要】
【発明が解決しようとする課題】
【０００５】
特許文献１に記載のものでは、臀部パネルの第１弾性領域及び第２弾性領域において上下方向に並んで配設された複数条の弾性体の横方向の伸縮力がすべて略均一である。例えば着脱可能な吸収パッドを当該使い捨ておむつに適用する場合、適正な配置位置から吸収パッドがずれないように複数条の弾性体の伸縮力を強めに調整すると、臀部パネルの横方向への収縮度合いが大きくなり、吸収体を配置させづらくなってしまう可能性がある。また、一方、吸収パッドを配置しやすくするために複数条の弾性体の伸縮力を弱めに調整すると、臀部パネルの横方向への収縮度合いが小さくなり、吸収パッドが適正な配置位置からずれてしまう可能性があった。
【０００６】
本発明は、上記のような問題に鑑みてなされたものであって、その目的とするところは、吸収パッドのずれを抑制し、かつ、配置しやすい吸収性物品を提供することにある。
【課題を解決するための手段】
【０００７】
上記目的を達成するための主たる発明は、上下方向と、前後方向と、前記上下方向及び前記前後方向に交差する幅方向とを有し、
前方から着用者の腹側を覆う腹側外装部材と、
後方から前記着用者の背側を覆う背側外装部材と、
吸収体を有し、一側が前記腹側外装部材に接合され、他側が前記背側外装部材に接合され、排泄物を吸収する帯状の吸収パッドを支持する吸収性本体と、
を備えた吸収性物品であって、
前記背側外装部材は、前記吸収性本体の前方に位置する肌側部材、及び前記吸収性本体の後方に位置する非肌側部材を有し、
前記肌側部材と前記吸収性本体との間には、前記吸収パッドの長手方向の一端部が配置可能であり、
前記非肌側部材には、
前記吸収性本体と前記肌側部材との間に前記吸収パッドが配置される際に、前記吸収性本体、前記肌側部材、及び前記吸収パッドの前記一端部と前記前後方向に重なる位置に、少なくとも一つの第１弾性部材が前記幅方向に亘って伸張された状態で接合され、かつ、
前記吸収性本体と前記肌側部材との間に前記吸収パッドが配置される際に、前記第１弾性部材よりも下方であって、前記吸収性本体及び前記吸収パッドと前記前後方向に重なり、前記肌側部材と前記前後方向に重ならない位置に、少なくとも一つの第２弾性部材が前記幅方向に亘って伸張された状態で接合されており、
前記第１弾性部材の前記幅方向のそれぞれの張力は、前記第２弾性部材の前記幅方向のそれぞれの張力よりも大きく、
前記吸収性本体と前記前後方向に重なる重なり領域のうち、前記第１弾性部材が配設されている領域を上方重なり領域、前記第２弾性部材が配設されている領域を下方重なり領域としたとき、
前記上方重なり領域では、前記非肌側部材の前記幅方向の収縮量が前記下方重なり領域よりも大きい
ことを特徴とする吸収性物品である。本発明の他の特徴については、本明細書及び添付図面の記載により明らかにする。
【発明の効果】
【０００８】
本発明によれば、吸収パッドのずれを抑制し、かつ、配置しやすくなる。
【図面の簡単な説明】
【０００９】
【図１】本発明の実施形態に係るおむつの一構成例を示す斜視図である。
【図２】おむつを上下方向に切断した場合の断面模式図である。
【図３】展開した状態のおむつを下方から見た場合における平面図である。
【図４】吸収性本体を厚さ方向に切断した断面図である。
【図５】非肌側部材を示す平面図であり、図５Ａは湾曲させていない状態を示し、図５Ｂは湾曲させた状態を示している。
【発明を実施するための形態】
【００１０】
本明細書及び添付図面の記載により、少なくとも以下の事項が明らかとなる。
【００１１】
上下方向と、前後方向と、前記上下方向及び前記前後方向に交差する幅方向とを有し、前方から着用者の腹側を覆う腹側外装部材と、後方から前記着用者の背側を覆う背側外装部材と、吸収体を有し、一側が前記腹側外装部材に接合され、他側が前記背側外装部材に接合され、排泄物を吸収する帯状の吸収パッドを支持する吸収性本体と、を備えた吸収性物品であって、前記背側外装部材は、前記吸収性本体の前方に位置する肌側部材、及び前記吸収性本体の後方に位置する非肌側部材を有し、前記肌側部材と前記吸収性本体との間には、前記吸収パッドの長手方向の一端部が配置可能であり、前記非肌側部材には、前記吸収性本体と前記肌側部材との間に前記吸収パッドが配置される際に、前記吸収性本体、前記肌側部材、及び前記吸収パッドの前記一端部と前記前後方向に重なる位置に、第１弾性部材が前記幅方向に亘って伸張された状態で接合され、かつ、前記吸収性本体と前記肌側部材との間に前記吸収パッドが配置される際に、前記第１弾性部材よりも下方であって、前記吸収性本体及び前記吸収パッドと前記前後方向に重なり、前記肌側部材と前記前後方向に重ならない位置に、第２弾性部材が前記幅方向に亘って伸張された状態で接合されており、前記第１弾性部材の前記幅方向の張力は、前記第２弾性部材の前記幅方向の張力よりも大きい吸収性物品が明らかとなる。
【００１２】
これにより、第１弾性部材の幅方向の張力が第２弾性部材の幅方向の張力よりも大きいことから、第１弾性部材が設けられた領域では、非肌側部材が、第２弾性部材が設けられた領域よりも幅方向に縮みやすくなる。したがって、吸収性本体が幅方向に過度に収縮しない程度に調整された第２弾性部材の張力よりも大きい第１弾性部材の張力の作用によって、吸収パッドの一端部が位置する空間における幅方向の隙間を埋めることができる。よって、第１弾性部材の張力の作用によって吸収パッドのずれを抑制しつつ、第２弾性部材の張力の作用によって吸収性本体の過度な幅方向の収縮が抑制されて吸収パッドを配置させやすくすることができる。
【００１３】
かかる吸収性物品であって、前記第１弾性部材の前記幅方向の両側にはそれぞれ、第３弾性部材が前記幅方向に伸張された状態で上方側から前記第１弾性部材に向かって傾斜して設けられており、前記第２弾性部材の前記幅方向の両側にはそれぞれ、第４弾性部材が前記幅方向に伸張された状態で上方側から前記第２弾性部材に向かって傾斜して設けられており、前記第４弾性部材の前記幅方向の張力は、前記第３弾性部材の前記幅方向の張力よりも大きいことが望ましい。
【００１４】
これにより、第４弾性部材の幅方向の張力が第３弾性部材の幅方向の張力よりも大きいことから、第４弾性部材が設けられた領域では、非肌側部材が、第３弾性部材が設けられた領域よりも幅方向に縮みやすくなる。したがって、第４弾性部材が設けられた領域では、非肌側部材が曲面を形成する。よって、着用者の臀部の丸みを帯びた形状に沿った形状となり、排泄物の漏れの抑制につながる。
【００１５】
かかる吸収性物品であって、前記第３弾性部材は、前記第１弾性部材の前記幅方向の両端からそれぞれ延伸しており、前記第４弾性部材は、前記第２弾性部材の前記幅方向の両端からそれぞれ延伸していることが望ましい。
【００１６】
これにより、第１弾性部材及び第３弾性部材をそれぞれ別部材にて設ける必要がなく、同様に、第２弾性部材及び第４弾性部材についてもそれぞれ別部材にて設ける必要がないため、製造が容易になると共に、コストの削減にもつながる。
【００１７】
かかる吸収性物品であって、前記第２弾性部材及び前記第４弾性部材は、前記非肌側部材の下端から上方向１０ｍｍ以下の領域内に設けられていることが望ましい。
【００１８】
これにより、非肌側部材の下端から上方向１０ｍｍ以下という限られた領域内に第２弾性部材及び第４弾性部材を設けることで少ない資材で背側外装部材を製造できるため、コストの削減につながる。
【００１９】
かかる吸収性物品であって、前記第４弾性部材の前記張力は、前記第２弾性部材の前記張力よりも大きいことが望ましい。
【００２０】
これにより、第４弾性部材の幅方向の張力が第２弾性部材の幅方向の張力よりも大きいことから、第４弾性部材が設けられた領域では、非肌側部材が、第２弾性部材が設けられた領域よりも幅方向に縮みやすくなる。したがって、第２弾性部材の張力の作用によって吸収性本体の過度な幅方向の収縮が抑制されて吸収パッドを配置させやすくしつつ、第２弾性部材の張力よりも大きい第４弾性部材の張力の作用によって非肌側部材が曲面を形成して着用者の臀部にフィットさせることができ、排泄物の漏れの抑制につながる。
【００２１】
かかる吸収性物品であって、前記第４弾性部材の前記張力は、前記幅方向の外側から内側に向かうにつれて小さくなっていることが望ましい。
【００２２】
これにより、非肌側部材は、第４弾性部材の張力の作用によって幅方向の外側から内側（第２弾性部材側）に向かって滑らかな傾斜（曲線）を形成することができるため、丸みを帯びた臀部の形状により沿った形状となると共に、着用時における臀部に対する締め付け（食い込み）を抑制することができる。
【００２３】
かかる吸収性物品であって、前記第４弾性部材において、最も上の位置と最も下の位置との間の前記上下方向の距離は、５〜９０ｍｍであることが望ましい。
【００２４】
これにより、第４弾性部材における傾斜幅が５〜９０ｍｍである場合、着用者の丸みを帯びた臀部の形状により沿った形状となるため、臀部を覆い隠すことが可能となり、排泄物の漏れの抑制につながる。
【００２５】
かかる吸収性物品であって、前記非肌側部材は、前記吸収性本体と前記前後方向に重なる重なり領域と、前記重なり領域の前記幅方向の両側に位置する両側領域とを備え、前記両側領域の下端が前記腹側外装部材の下端よりも下方に突出していることが望ましい。
【００２６】
これにより、腹側外装部材と背側外装部材とが、幅方向の両側において上下方向全域に亘って接合している場合には、着用者が吸収性物品に足を通す際に、接合部分の下端側において足をひっかけてしまうといった事態が発生しやすい。一方、両側領域の下端が腹側外装部材の下端よりも下方に突出していることで、幅方向の外側部分が腹側外装部材に接合されていないため、着用者がおむつに足を通す際に引っ掛かりとなる部分がなくなり、足をスムーズに通すことができる。
【００２７】
かかる吸収性物品であって、前記非肌側部材と前記吸収性本体との接合部は、前記吸収性本体の長手方向に直交する方向に亘っていることが望ましい。
【００２８】
これにより、非肌側部材と吸収性本体との接合部に作用する力の方向を揃えることができるため、吸収性本体に作用する力に不均衡が生じにくく、皺の発生が抑制されて、立体的な形状が維持しやすくなる。
【００２９】
かかる吸収性物品であって、前記第２弾性部材の前記張力は、前記幅方向の中央から外側に向かうにつれて大きくなっていることが望ましい。
【００３０】
これにより、第２弾性部材と前後方向に重なる位置に配置された吸収パッドが幅方向の両端側で固定されやすくなるため、吸収性本体に対して吸収パッドがよりずれにくくなり、排泄物の漏れをより抑制することができる。
【００３１】
かかる吸収性物品であって、前記吸収体は、厚さが５ｍｍ以下であって、ＪＩＳ  Ｌ  １０９６  カンチレバーＡ法にて測定される剛軟度が１５ｍｍ以上１４０ｍｍ以下であることが望ましい。
【００３２】
これにより、薄くて柔らかい材質で吸収体が形成されるため、非肌側部材に設けられた各弾性部材の張力を調整して吸収性本体ごと変形させることが可能となり、用途に応じて設計変更がしやすくなる。
【００３３】
かかる吸収性物品であって、前記肌側部材には、前記吸収性本体と前記肌側部材との間に前記吸収パッドが配置される際に、前記吸収性本体、前記非肌側部材、及び前記吸収パッドの前記一端部と前記前後方向に重なる位置に、背側弾性部材が前記幅方向に亘って伸張された状態で接合されており、前記背側弾性部材の前記幅方向の張力は、前記第１弾性部材の前記幅方向の張力及び前記第２弾性部材の前記幅方向の張力よりも大きいことが望ましい。
【００３４】
これにより、第１弾性部材及び第２弾性部材が接合された非肌側部材よりも着用者の肌に近い肌側部材の方が縮みやすくなり、非肌側に向かって凸状となる曲面がより形成されやすくなるため、吸収性本体と背側外装部材の肌側部材との間の空間が確保されて、吸収パッドの長手方向の一端部を空間内に挿入しやすくなり、当該一端部が空間外にずれて挿入されてしまうといった位置ずれを抑制して吸収パッドを適正な位置に配置させやすくなる。
【００３５】
＝＝＝実施形態＝＝＝
本発明の実施形態に係る吸収性物品の一例として、使い捨ておむつ１（以下では単におむつ１とする）について説明する。このおむつ１は、主に高齢者を対象とした大人向けの使い捨ておむつであり、例えば介護施設等において用いられる。
【００３６】
＜おむつ１の構成＞
おむつ１の構成について、図１〜図４を参照して説明する。
【００３７】
図１は、本発明の実施形態に係るおむつ１の一構成例を示す斜視図である。図２は、おむつ１を上下方向に切断した場合の断面模式図である。図３は、展開した状態のおむつ１を下方から見た場合における平面図である。
【００３８】
おむつ１は、上下方向と、前後方向と、上下方向及び前後方向に交差する幅方向とを有する。なお、着用者がおむつ１を着用した状態において、着用者の肌と接する側を「肌側」とし、その反対側を「非肌側」とする。
【００３９】
図１に示すように、おむつ１は、前方から着用者の腹側を覆う腹側外装部材２と、後方から着用者の背側を覆う背側外装部材３と、一側が腹側外装部材２に接合され、着用者の股下を介して他側が背側外装部材３に接合された吸収性本体４とを備えている。図２に示すように、吸収性本体４は、例えば尿等の排泄物を吸収する帯状の吸収パッドとしての尿取りパッド５を支持する。図２では、尿取りパッド５を二点鎖線で示している。
【００４０】
腹側外装部材２は、柔らかい不織布等で形成されたシート部材である。図３に示すように、腹側外装部材２は、平面視長方形状であり、幅方向に長辺を有している。図２に示すように、腹側外装部材２は、吸収性本体４よりも肌側に配置される尿取りパッド５よりもさらに肌側（後方）に位置する主部材２ａと、吸収性本体４よりも非肌側（前方）に位置する腹側補助部材２ｂとを備えている。
【００４１】
主部材２ａは、前後方向に重ねて接合された２枚の不織布、及びこれら２枚の不織布の間に幅方向に伸張された状態で配設された複数条（本実施形態では１８本）の腹側糸ゴム２０から構成されている。図３では、腹側糸ゴム２０を二点鎖線で示している。２枚の不織布は、腹側糸ゴム２０の幅方向の張力によって幅方向に収縮している。これにより、腹側外装部材２を着用者の腹にフィットさせることができる。
【００４２】
腹側補助部材２ｂは、１枚の不織布等からなり、主部材２ａとの間に吸収性本体４の長手方向の一側４１を挟んだ状態で主部材２ａ及び吸収性本体４の一側４１と接合している。この腹側補助部材２ｂは、おむつ１を着用する際の引き上げ強度を強化する機能を有する。さらに、腹側補助部材２ｂが前方から主部材２ａ及び吸収性本体４の一側４１に接合していることにより、腹側補助部材２ｂがない場合と比較して腹側外装部材２と吸収性本体４の一側４１との接合の強度が増している。
【００４３】
背側外装部材３は、腹側外装部材２と同様に、柔らかい不織布等で形成されたシート部材である。図３に示すように、背側外装部材３は、平面視において、幅方向に長辺を有する長方形の一方の長辺側を湾曲させた形状である。図１に示すように、腹側外装部材２と背側外装部材３とは、幅方向の両側で例えばヒートシールやソニックシール等の融着やホットメルト接着剤等の接着剤によって接合されている。これにより、図１及び図３に示すように、接合部１０が幅方向の両側にそれぞれ、上下方向に延びて設けられている。
【００４４】
図２に示すように、背側外装部材３は、吸収性本体４の前方（肌側）に位置する肌側部材３ａと、吸収性本体４の後方（非肌側）に位置する非肌側部材３ｂと、吸収性本体４の後方（非肌側）かつ非肌側部材３ｂよりも上方に位置する背側補助部材３ｃとを備えている。肌側部材３ａと吸収性本体４との間には、尿取りパッド５の長手方向の一端部である背側端部５１を配置させることが可能である。
【００４５】
肌側部材３ａには、肌側部材３ａと吸収性本体４との間に尿取りパッド５が配置される際に、吸収性本体４、非肌側部材３ｂ、及び尿取りパッド５の背側端部５１と前後方向に重なる位置に、複数条の背側糸ゴム３０が幅方向に亘って伸張された状態で接合されている。具体的には、肌側部材３ａは、前後方向に重ねて接合された２枚の不織布、及びこれら２枚の不織布の間に幅方向に伸張された状態で接合された複数条（本実施形態では１６本）の背側糸ゴム３０から構成されている。図３では、背側糸ゴム３０を二点鎖線で示している。２枚の不織布は、背側糸ゴム３０の幅方向の張力によって幅方向に収縮している。これにより、背側外装部材３を着用者の背（腰）にフィットさせることができる。
【００４６】
非肌側部材３ｂは、前後方向に重ねて接合された２枚の不織布と、これら２枚の不織布の間に配設された第１糸ゴム３１、第２糸ゴム３２、第３糸ゴム３３、及び第４糸ゴム３４とから構成されている。図３では、腹側糸ゴム２０及び背側糸ゴム３０と同様に、第１糸ゴム３１、第２糸ゴム３２、第３糸ゴム３３、及び第４糸ゴム３４を二点鎖線で示している。
【００４７】
また、非肌側部材３ｂは、図３に示すように、吸収性本体４と前後方向に重なる重なり領域３０１と、重なり領域３０１の幅方向の両側に位置する両側領域３０２とを備えている。重なり領域３０１には、非肌側部材３ｂと吸収性本体４との接合部３００が設けられ、この接合部３００は吸収性本体４の長手方向に直交する方向に亘っている。図３では、当該接合部３００を網掛けで示している。
【００４８】
このように、接合部３００が吸収性本体４の長手方向に対して直交する方向に直線的に設けられていることにより、吸収性本体４の上下方向に沿った力（垂れ下がろうとする力）を接合部３００で受けることができ、吸収性本体４の垂れ下がりの抑制につながる。つまり、接合部３００に作用する力の方向が揃いやすくなるため、吸収性本体４に作用する力の不均衡が生じにくくなり、吸収性本体４における皺の発生が抑制されて、おむつ１の立体的な形状が維持しやすくなる。
【００４９】
第１糸ゴム３１は、幅方向に伸縮可能な第１弾性部材の一態様であり、図２に示すように、肌側部材３ａと吸収性本体４との間に尿取りパッド５が配置される際に、吸収性本体４、肌側部材３ａ、及び尿取りパッド５の長手方向の背側端部５１と前後方向に重なる位置に、幅方向に亘って伸張された状態で接合されている。図３に示すように、本実施形態では、第１糸ゴム３１が重なり領域３０１内に１本設けられているが、本数については特に制限はない。
【００５０】
第２糸ゴム３２は、幅方向に伸縮可能な第２弾性部材の一態様であり、図２に示すように、肌側部材３ａと吸収性本体４との間に尿取りパッド５が配置される際に、第１糸ゴム３１よりも下方であって、吸収性本体４及び尿取りパッド５と前後方向に重なり、肌側部材３ａと前後方向に重ならない位置に、幅方向に亘って伸張された状態で設けられている。図３に示すように、本実施形態では、第２糸ゴム３２が重なり領域３０１内に４本設けられているが、本数については特に制限はない。
【００５１】
第３糸ゴム３３は、幅方向に伸縮可能な第３弾性部材の一態様であり、図３に示すように、第１糸ゴム３１の幅方向の両側にそれぞれ、幅方向に伸張された状態で上方側から第１糸ゴム３１に向かって傾斜して接合されている。本実施形態では、第１糸ゴム３１と第３糸ゴム３３とが一部材であり、第３糸ゴム３３は、第１糸ゴム３１の幅方向の両側から斜め上方に向かってそれぞれ延伸している。
【００５２】
これにより、第１糸ゴム３１及び第３糸ゴム３３をそれぞれ別部材にて配設する必要がないため、製造が容易になると共に、コストの削減にもつながる。また、第３糸ゴム３３は両側領域３０２内にそれぞれ１本設けられていることになるが、第１糸ゴム３１と同様に、本数については特に制限はない。
【００５３】
第４糸ゴム３４は、幅方向に伸縮可能な第４弾性部材の一態様であり、図３に示すように、第２糸ゴム３２の幅方向の両側にそれぞれ、幅方向に伸張された状態で上方側から第２糸ゴム３２に向かって傾斜して接合されている。本実施形態では、第２糸ゴム３２と第４糸ゴム３４とが一部材であり、第４糸ゴム３４は、第２糸ゴム３２の幅方向の両側から斜め上方に向かってそれぞれ延伸している。
【００５４】
これにより、第１糸ゴム３１及び第３糸ゴム３３と同様に、第２糸ゴム３２及び第４糸ゴム３４をそれぞれ別部材にて配設する必要がないため、製造が容易になると共に、コストの削減にもつながる。また、第４糸ゴム３４は両側領域３０２内にそれぞれ４本設けられていることになるが、第２糸ゴム３２と同様に、本数については特に制限はない。
【００５５】
なお、第１〜第４糸ゴム３１〜３４において、「幅方向に亘って伸張された状態で接合されて」とは、第１〜第４糸ゴム３１〜３４のそれぞれを全体観察した場合に幅方向に亘って伸張された状態であればよく、例えば幅方向において部分的に弛んだ状態を含んでいてもよい。
【００５６】
本実施形態では、両側領域３０２における第４糸ゴム３４が配設された領域全体が腹側外装部材２の下端よりも下方に突出している（図１参照）。すなわち、図３に示すように、両側領域３０２の第４糸ゴム３４が配設された領域では、接合部１０が存在しない。なお、必ずしも第４糸ゴム３４が配設された領域全体が腹側外装部材２の下端よりも下方に突出している必要はなく、少なくとも両側領域３０２の下端が腹側外装部材２の下端よりも下方に突出していればよい。
【００５７】
仮に、腹側外装部材２と背側外装部材３とが、幅方向の両側において上下方向全域に亘って接合している場合には、着用者がおむつ１に足を通す際に、接合部１０の下端側において足を引っ掛けてしまうといった事態が発生するおそれがある。一方、両側領域３０２の下端が腹側外装部材２の下端よりも下方に突出していると、両側領域３０２の幅方向の外側部分が腹側外装部材２に接合されていないため、着用者がおむつ１に足を通す際に、引っ掛かりとなる部分がなくなって足をスムーズに通すことが可能となる。
【００５８】
背側補助部材３ｃは、１枚の不織布等からなり、肌側部材３ａとの間に吸収性本体４の長手方向の他側４２を挟んだ状態で肌側部材３ａ及び吸収性本体４の他側と接合している。この背側補助部材３ｃは、腹側補助部材２ｂと同様に、おむつ１を着用する際の引き上げ強度を強化する機能を有する。さらに、背側補助部材３ｃが後方から肌側部材３ａ及び吸収性本体４の他側４２に接合していることにより、背側補助部材３ｃがない場合と比較して背側外装部材３と吸収性本体４の他側４２との接合の強度が増している。
【００５９】
吸収性本体４は、図１及び図３に示すように、幅方向の両側に、着用時において着用者の脚周りにフィットして尿等の排泄物が外部に漏れないようにするためのレッグギャザー４０が設けられている。図３では、レッグギャザー４０を網掛けで示している。
【００６０】
図４は、吸収性本体４を厚さ方向に切断した断面図である。図４において、幅方向に直交する吸収性本体４の厚みの方向を「厚さ方向」とし、当該厚さ方向のうち、肌に接触する側を「肌側」、その反対側を「非肌側」とする。
【００６１】
吸収性本体４は、吸収体４３と、厚さ方向の非肌側に配置されたバックシート４４と、厚さ方向において吸収体４３とバックシート４４との間に配置されたバックフィルム４５とを有している。本実施形態では、バックフィルム４５及びバックシート４４はそれぞれ、吸収体４３を包み込むように、幅方向の両端部が厚さ方向の肌側に向かって折り返されている。
【００６２】
吸収体４３は、厚さ方向に重ねられた２枚の液体吸収性シート４３１と、当該２枚の液体吸収性シート４３１を厚さ方向に挟むように配置された一対のコアラップシート４３２と、厚さ方向の肌側に配置されたトップシート４３３とを有している。液体吸収性シート４３１としては、例えば液体吸収性素材を積層してなる所謂ＳＡＰシートが用いられる。
【００６３】
本実施形態では、トップシート４３３は、一対のコアラップシート４３２によって厚さ方向に挟まれた液体吸収性シート４３１を包み込むように、幅方向の両端部が厚さ方向の非肌側に向かって折り返されている。
【００６４】
また、吸収体４３は、本実施形態では、厚さが５ｍｍ以下であって、ＪＩＳ  Ｌ  １０９６  カンチレバーＡ法にて測定される剛軟度が１５ｍｍ以上１４０ｍｍ以下の不織布を用いて帯状に形成されている。このように、吸収体４３に薄くて柔らかい材質のものを用いることで、非肌側部材３ｂに設けられた第１〜第４糸ゴム３１〜３４の張力を調整して、吸収性本体４の形状を変形させることが可能となり、用途に応じて設計変更がしやすくなる。図３では、吸収体４３を破線で示している。
【００６５】
尿取りパッド５は、排泄物を吸収する帯状の部材であり、液体吸収性素材を積層してなる所謂ＳＡＰシートが用いられる。本実施形態では、尿取りパッド５は、吸収性ポリマーのみで構成されたＳＡＰシートを用いているが、これに限らず、尿取りパッド５は、尿取りパッド５の全体重量の１０％よりも重量が少ないパルプを含んだものであってもよい。尿取りパッド５は、幅方向の寸法が吸収性本体４の幅方向の寸法よりも小さく形成され、吸収性本体４に支持された状態ではレッグギャザー４０によって幅方向への移動が規制されている。
【００６６】
おむつ１に尿取りパッド５を配置させた場合、尿取りパッド５の長手方向の一端部である背側端部５１は、吸収性本体４と背側外装部材３の肌側部材３ａとの間に形成された空間１１に位置し、他端部である腹側端部５２は、吸収性本体４と腹側外装部材２の主部材２ａとの間に形成された空間１２に位置する（図２参照）。
【００６７】
＜第１〜第４糸ゴム３１〜３４について＞
次に、非肌側部材３ｂに設けられた第１〜第４糸ゴム３１〜３４について、図５Ａ及び図５Ｂを参照して具体的に説明する。
【００６８】
図５Ａ及び図５Ｂは、非肌側部材３ｂを示す平面図であり、図５Ａは湾曲させていない状態を示し、図５Ｂは湾曲させた状態を示している。図５Ａ及び図５Ｂにおいても、第１〜第４糸ゴム３１〜３４を二点鎖線で示している。
【００６９】
図５Ｂにおいて、重なり領域３０１のうち、第１糸ゴム３１が配設されている領域を上方重なり領域３０１ａ、第２糸ゴム３２が配設されている領域を下方重なり領域３０１ｂとし、両側領域３０２のうち、第３糸ゴム３３が配設されている領域を上方両側領域３０２ａ、第４糸ゴム３４が配設されている領域を下方両側領域３０２ｂとする。
【００７０】
第１糸ゴム３１、第２糸ゴム３２、第３糸ゴム３３、及び第４糸ゴム３４は、周期変速により倍率（伸張倍率）が幅方向において変化した状態で２枚の不織布の間に配設されている。周期変速とは、周期的に回転速度が変化する変速ロールに各糸ゴムを巻き付けることにより、伸びの大きい部分や小さい部分を形成して倍率を変化させる技術である。なお、本実施形態では、第２糸ゴム３２及び第４糸ゴム３４については、４本まとめて変速ロールに巻き付けて周期変速を行っている。また、第１糸ゴム３１、第２糸ゴム３２、第３糸ゴム３３、及び第４糸ゴム３４に限らず、例えば腹側糸ゴム２０及び背側糸ゴム３０についても、同様に周期変速を行って倍率を変化させてもよい。
【００７１】
ここで、「倍率（伸張倍率）」とは、糸ゴムの自然長を１としたときの伸び度合いを示したものであり、例えば倍率が１．２の場合、糸ゴムは自然長から０．２だけ伸張していることになる。
【００７２】
本実施形態では、例えば、第１糸ゴム３１は、９４０［ｄｔｅｘ］の太さの糸ゴムを平均倍率１．６に、第２糸ゴム３２は、４７０［ｄｔｅｘ］の太さの糸ゴムを平均倍率１．３に、第３糸ゴム３３は、９４０［ｄｔｅｘ］の太さの糸ゴムを平均倍率１．６〜１．８に、第４糸ゴム３４は、４７０［ｄｔｅｘ］の太さの糸ゴムを平均倍率２．５に、それぞれ伸張させている。なお、前述したように、第１糸ゴム３１、第２糸ゴム３２、第３糸ゴム３３、及び第４糸ゴム３４は周期変速により幅方向の各点において倍率が異なっているため、平均した数値（平均倍率）で示している。
【００７３】
第２糸ゴム３２は、本実施形態では、吸収性本体４が幅方向に過度に収縮しない程度の張力Ｔ２で幅方向に伸張した状態で配設されている。したがって、下方重なり領域３０１ｂでは、張力Ｔ２の作用によって吸収性本体４が幅方向に過度に収縮しない程度に２枚の不織布が幅方向に収縮している。よって、吸収性本体４の幅方向の過度な収縮が抑制されて、吸収性本体４に対して尿取りパッド５を配置させやすくなっている。なお、本明細書中において、張力の単位はＮ（ニュートン）とする。
【００７４】
第１糸ゴム３１の張力Ｔ１は、第２糸ゴム３２の張力Ｔ２よりも大きい（Ｔ１＞Ｔ２）。すなわち、第１糸ゴム３１は、第２糸ゴム３２の張力Ｔ２よりも大きい張力Ｔ１で幅方向に伸張した状態で配設されている。このため、上方重なり領域３０１ａでは、２枚の不織布の幅方向の収縮量が下方重なり領域３０１ｂよりも大きくなっている。これにより、上方重なり領域３０１ａでは、張力Ｔ１の作用によって尿取りパッド５の背側端部５１が配置される空間１１（図２参照）において幅方向に隙間が生じない程度に２枚の不織布が幅方向に収縮している。
【００７５】
仮に、第１糸ゴム３１の張力Ｔ１が第２糸ゴム３２の張力Ｔ２以下であるとすると、上方重なり領域３０１ａでは、２枚の不織布の幅方向の収縮量が下方重なり領域３０１ｂにおける収縮量以下となってしまうため、空間１１において幅方向に隙間が生じてしまい、尿取りパッド５がずれてしまうおそれがある。
【００７６】
よって、第１糸ゴム３１の張力Ｔ１と第２糸ゴム３２の張力Ｔ２との大小関係がＴＩ＞Ｔ２となっていることにより、張力Ｔ１の作用によって尿取りパッド５のずれを抑制しつつ、張力Ｔ２の作用によって尿取りパッド５を吸収性本体４に対して配置させやすくすることが可能となっている。
【００７７】
さらに、本実施形態では、第２糸ゴム３２の幅方向の張力Ｔ２は、幅方向の中央から外側（第４糸ゴム３４側）に向かうにつれて大きくなっている。すなわち、下方重なり領域３０１ｂでは、２枚の不織布の幅方向の収縮量が幅方向の中央よりも両側（外側）において大きい。この場合、第２糸ゴム３２と前後方向に重なって配置される尿取りパッド５は、幅方向の両端側で固定されやすくなり、吸収性本体４に対してずれにくくなるため、排泄物の漏れをより抑制することができる。なお、必ずしも第２糸ゴム３２の張力Ｔ２が幅方向の中央から外側に向かうにつれて大きくなっている必要はなく、少なくとも第２糸ゴム３２の張力Ｔ２が第１糸ゴム３１の張力Ｔ１よりも小さければよい。
【００７８】
また、第１糸ゴム３１の幅方向の張力Ｔ１及び第２糸ゴム３２の幅方向の張力Ｔ２は、肌側部材３ａにおける背側糸ゴム３０（図２参照）の幅方向の張力Ｔ０よりも小さい（本実施形態ではＴ２＜Ｔ１＜Ｔ０）。換言すれば、背側糸ゴム３０の幅方向の張力Ｔ０は、第１糸ゴム３１の幅方向の張力Ｔ１及び第２糸ゴム３２の幅方向の張力Ｔ２よりも大きい。
【００７９】
非肌側部材３ｂよりも着用者の肌に近い肌側部材３ａは、背側糸ゴム３０の幅方向の張力Ｔ０が第１糸ゴム３１の幅方向の張力Ｔ１及び第２糸ゴム３２の幅方向の張力Ｔ２よりも縮みやすいため、非肌側に向かって凸状となる曲面がより形成されやすくなり、前述した吸収性本体４と肌側部材３ａとの間の空間１１が確保されて、尿取りパッド５の背側端部５１を空間１１内に挿入しやすくなり、背側端部５１が空間１１外にずれて挿入されてしまうといった位置ずれを抑制して尿取りパッド５を適正な位置に配置させやすくなる。
【００８０】
図３及び図５Ｂに示すように、第１糸ゴム３１、第２糸ゴム３２、第３糸ゴム３３、及び第４糸ゴム３４を２枚の不織布の間に配設させる際には、両側領域３０２が上方側から重なり領域３０１に向かって傾斜するように２枚の不織布を湾曲させながら、第１糸ゴム３１、第２糸ゴム３２、第３糸ゴム３３、及び第４糸ゴム３４をこれら２枚の不織布の間に挟む。このとき、第３糸ゴム３３は上方側から第１糸ゴム３１に向かって、第４糸ゴム３４は上方側から第２糸ゴム３２に向かって、それぞれ傾斜するように第３糸ゴム３３及び第４糸ゴム３４も湾曲させる。
【００８１】
第３糸ゴム３３は、着用者の肌を過度に締め付けない程度に幅方向の張力Ｔ３を調整した状態で伸張している。この張力Ｔ３が、本実施形態における第３糸ゴム３３の基準である。これにより、上方両側領域３０２ａでは、張力Ｔ３の作用によって着用者の肌を過度に締め付けない程度に２枚の不織布が幅方向に収縮している。
【００８２】
第４糸ゴム３４は、おむつ１の着用時に着用者の臀部の形状に沿うように幅方向の張力Ｔ４を調整した状態で伸張している。この張力Ｔ４が、本実施形態における第４糸ゴム３４の基準である。これにより、下方両側領域３０２ｂでは、張力Ｔ４の作用によって着用者の臀部の形状に沿うように２枚の不織布が幅方向に収縮している。
【００８３】
本実施形態では、第４糸ゴム３４の張力Ｔ４は、第３糸ゴム３３の張力Ｔ３よりも大きいため（Ｔ４＞Ｔ３）、２枚の不織布は、上方両側領域３０２ａと下方両側領域３０２ｂとでは２枚の不織布の幅方向の収縮量が異なり、上方両側領域３０２ａよりも下方両側領域３０２ｂにおいて当該収縮量が大きくなっている。これにより、２枚の不織布は、上方両側領域３０２ａよりも下方両側領域３０２ｂにおいて曲面を形成する。よって、着用者の臀部の丸みを帯びた形状に沿った形状となり、排泄物の漏れの抑制につながる。
【００８４】
なお、第４糸ゴム３４の張力Ｔ４が第３糸ゴム３３の張力Ｔ３よりも大きいことが望ましいが、必ずしもその必要はなく、少なくとも第１糸ゴム３１の張力Ｔ１が第２糸ゴム３２の張力Ｔ２よりも大きければよい。
【００８５】
また、本実施形態では、第４糸ゴム３４の張力Ｔ４は、第２糸ゴム３２の張力Ｔ２よりも大きいため（Ｔ４＞Ｔ２）、２枚の不織布は、下方重なり領域３０１ｂよりも下方両側領域３０２ｂにおいて幅方向に収縮量が大きくなっている。
【００８６】
仮に、第４糸ゴム３４の張力Ｔ４が第２糸ゴム３２の張力Ｔ２以下であるとすると、下方両側領域３０２ｂでは、２枚の不織布の幅方向の収縮量が下方重なり領域３０１ｂにおける収縮量以下となってしまうため、２枚の不織布は曲面を形成しにくくなって着用者の臀部の形状に沿わず、排泄物の漏れが生じるおそれがある。
【００８７】
よって、第２糸ゴム３２の張力Ｔ２と第４糸ゴム３４の張力Ｔ４との大小関係がＴ４＞Ｔ２となっていることにより、張力Ｔ２の作用によって吸収性本体４に対して尿取りパッド５を配置させやすくすると共に、張力Ｔ４の作用によって着用者の臀部の形状にフィットさせることが可能となる。なお、第４糸ゴム３４の張力Ｔ４が第２糸ゴム３２の張力Ｔ２よりも大きいことが望ましいが、必ずしもその必要はなく、少なくとも第１糸ゴム３１の張力Ｔ１が第２糸ゴム３２の張力Ｔ２よりも大きければよい。
【００８８】
さらに、本実施形態では、第４糸ゴム３４の幅方向の張力Ｔ４は、幅方向の外側から内側（第２糸ゴム３２側）に向かうにつれて小さくなっている。すなわち、下方両側領域３０２ｂでは、２枚の不織布の幅方向の収縮量が幅方向の外側よりも内側において小さい。この場合、下方両側領域３０２ｂにおける２枚の不織布は、幅方向の外側から内側に向かう滑らかな曲面を形成することができるため、着用者の臀部の丸みを帯びた形状により沿った形状になると共に、臀部に対する締め付け（食い込み）を抑制することができる。なお、必ずしも第４糸ゴム３４の張力Ｔ４が幅方向の外側から内側に向かうにつれて小さくなっている必要はなく、少なくとも第１糸ゴム３１の張力Ｔ１が第２糸ゴム３２の張力Ｔ２よりも大きい関係が成り立っていればよい。
【００８９】
第４糸ゴム３４において、最も上の位置と最も下の位置との間の上下方向の距離ｈ（図４Ｂに示す）は５〜９０ｍｍに設定されている。この距離ｈは、より具体的には、４本の第４糸ゴム３４のうち最も上方に位置する第４糸ゴム３４の幅方向の外側端部と、最も下方に位置する第４糸ゴム３４の幅方向の内側端部との間の上下方向の距離である。
【００９０】
なお、これに限らず、例えば第４糸ゴム３４が１本である場合には、当該第４糸ゴム３４の幅方向の両端部間の上下方向の距離が距離ｈとなる。すなわち、距離ｈは、第４糸ゴム３４の上下方向における傾斜幅を示している。距離ｈが５〜９０ｍｍである場合には、着用者の臀部の形状により沿った形状とすることができ、臀部にフィットさせることが可能となるため、排泄物の漏れの抑制につながり望ましいが、必ずしも距離ｈが５〜９０ｍｍである必要はない。
【００９１】
本実施形態では、４本の第２糸ゴム３２及び４本の第４糸ゴム３４は、非肌側部材３ｂの下端から上方向１０ｍｍ以下（Ｈ≦１０ｍｍ）の領域内に設けられている（図４Ａ及び図４Ｂ参照）。このように非肌側部材３ｂの下端に近い領域内に第２糸ゴム３２及び第４糸ゴム３４を設けることにより、おむつ１の裾において第２糸ゴム３２及び第４糸ゴム３４の張力による効果を有効に活用することができ、非肌側部材３ｂを着用者の臀部によりフィットさせることができる。さらに、第２糸ゴム３２及び第４糸ゴム３４を設ける領域が小さくて済むため、少ない資材で背側外装部材３を製造することができ、コストの削減につながる。
【００９２】
＝＝＝その他＝＝＝
上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。
【００９３】
上記の実施形態では、第１〜第４糸ゴム３１〜３４について、周期変速により幅方向において倍率を変化させていたが、必ずしも周期変速を行う必要はなく、例えば幅方向において一定の倍率でこれらの糸ゴムを伸張させてもよい。
【符号の説明】
【００９４】
１…おむつ（吸収性物品）
２…腹側外装部材
３…背側外装部材
３ａ…肌側部材
３ｂ…非肌側部材
４…吸収性本体
５…尿取りパッド（吸収パッド）
３０…背側糸ゴム（背側弾性部材）
３１…第１糸ゴム（第１弾性部材）
３２…第２糸ゴム（第２弾性部材）
３３…第３糸ゴム（第３弾性部材）
３４…第４糸ゴム（第４弾性部材）
４１…一側
４２…他側
４３…吸収体
５１…背側端部（一端部）
３００…接合部
３０１…重なり領域
３０２…両側領域
【図１】
0006410673.tif 000002
【図２】
0006410673.tif 000003
【図３】
0006410673.tif 000004
【図４】
0006410673.tif 000005
【図５】
0006410673.tif 000006